(57)【特許請求の範囲】
【請求項１】
湯水を貯留する貯湯タンクと、この貯湯タンクから延びる出湯通路の下流側に設けられた補助熱源機と、前記貯湯タンク内に貯留された高温水と低温水とを混合して給湯設定温度の湯水を調整する湯水混合部と、この湯水混合部と前記補助熱源機とを制御する制御部とを備えた貯湯給湯システムにおいて、
前記制御部は、出湯運転開始時に、前記湯水混合部から前記給湯設定温度の湯水の出湯が可能である場合には、前記湯水混合部から前記給湯設定温度より低い第１設定温度に調整した湯水を第１設定量分出湯し、その後に、前記第１設定温度から前記給湯設定温度に調整した湯水を出湯することを特徴とする貯湯給湯システム。
【請求項２】
前記制御部は、前記給湯設定温度に調整した湯水を一定量分出湯した後に、前記給湯設定温度より高い第２設定温度に調整した湯水を第２設定量分出湯することを特徴とする請求項１に記載の貯湯給湯システム。
【請求項３】
前記制御部は、前記湯水混合部から出湯する湯水を、出湯運転開始時に前記第１設定温度に調整する場合及び前記第１設定温度から前記給湯設定温度に調整する場合には、所定の温度勾配を夫々持たせることを特徴とする請求項２に記載の貯湯給湯システム。
【発明の詳細な説明】
【技術分野】
【０００１】
本発明は貯湯給湯システムに関し、特に出湯運転開始時に補助熱源機から出湯される湯水温度の変動を低減可能な貯湯給湯システムである。
【背景技術】
【０００２】
従来から、高温の湯水を生成して貯湯し、給湯栓等の所望の給湯先に供給可能な貯湯給湯システムが実用に供されている。この種の貯湯給湯システムは、高温の湯水を貯留する為の貯湯タンク、湯水混合弁等の各種の弁類や各種の通路類、貯湯タンクの湯水を加熱する為の主熱源機、貯湯タンクに貯留されている湯水温度が低い場合等に再加熱する為の補助熱源機等を備えている。
【０００３】
ところで、上記の補助熱源機を備えた貯湯給湯システムにおいて、一般的に、湯水混合弁から給湯設定温度の湯水の出湯が可能である場合には、補助熱源機の燃焼によって湯水を必要以上に加熱するのを防止する為に、補助熱源機に対して燃焼運転の禁止を指令し、湯水混合弁から給湯設定温度の湯水の出湯が不可能である場合には、給湯設定温度になるように補助熱源機の燃焼によって湯水を再加熱する制御が実行される。この補助熱源機を使用して湯水を再加熱する技術は、種々の文献に開示されている。
【０００４】
例えば、特許文献１の湯水混合ユニットにおいて、高温水の混合割合を最大にしても給湯設定温度の湯水の出湯が不可能である場合（高温水の温度が給湯設定温度と略同じ温度の場合）には、給湯設定温度より低い補正温度（補助熱源機の最小燃焼量で燃焼した場合に給湯設定温度になる温度）に調整した後に補助熱源機へ送り、補助熱源機で給湯設定温度になるように加熱して出湯する技術が開示されている。
【０００５】
ところで、上記の補助熱源機を備えた貯湯給湯システムを、集合住宅や狭小住宅に設置したいという要望がある。しかし、貯湯タンクと補助熱源機とを一箇所に纏めて設置する為のスペースを確保できない場合には、貯湯タンクと補助熱源機とを離隔して設置する必要がある。この場合、貯湯タンクと補助熱源機との間の配管距離が長く（例えば１０ｍ〜２０ｍ程度）なるので、出湯運転開始時に給湯先から給湯設定温度の湯水が出湯される迄の湯待ち時間が長くなり、捨て水量が増加して出湯特性が悪化するという問題がある。
【０００６】
そこで、貯湯タンクと補助熱源機との間の配管距離が長い場合には、図６に示すように、出湯運転開始時に、湯水混合弁から給湯設定温度に調整された湯水を出湯させると共に、補助熱源機の燃焼運転を禁止せず、補助熱源機によって湯水混合弁から補助熱源機に至る出湯通路に滞留していた冷残水（低温の水）を給湯設定温度になるように加熱してから出湯することで、湯水混合弁からの湯待ち時間を短縮して捨て水量を低減し、出湯特性を改善する技術が一般に知られている。
【０００７】
また、上記の補助熱源機によって冷残水を加熱する場合、補助熱源機の入水温度がある程度高くなると、補助熱源機の燃焼運転を停止する必要があるので、図６に示すように、燃焼運転を停止した後に、補助熱源機の出湯温度の低下を防止する為に、湯水混合弁から給湯設定温度より高い温度に調整した湯水を流す嵩上げ出湯を行う技術も知られている。
【先行技術文献】
【特許文献】
【０００８】
【特許文献１】特許第３７２８２３０号公報
【発明の概要】
【発明が解決しようとする課題】
【０００９】
しかし、出湯運転開始時に、冷残水を加熱する為に補助熱源機を燃焼運転する場合、貯湯タンク側の湯水混合弁の出湯温度が急激に上昇するので、補助熱源機の燃焼運転が直ぐに停止になり、その上、湯水混合弁から補助熱源機へ流れる給湯設定温度の湯水は、長い配管を流れる間に吸熱されるので、補助熱源機内に冷残水が残留し易いという問題がある。このため、燃焼停止直後に補助熱源機の出湯温度が低下すると、使用者によっては不要な不安感や不信感を与えてしまう。
【００１０】
そこで、燃焼運転停止後に出湯温度を高くした嵩上げ出湯を行う場合があるが、補助熱源機内の湯水加熱部の上流側に冷残水が依然残留しているので、補助熱源機の燃焼停止直後の出湯温度の低下を防止することはできず（図６の補助熱源機出湯温度参照）、また、出湯温度の低下が大きい程、嵩上げ温度を上げる必要があるので、貯湯タンクの湯水を無駄に使用し、貯湯給湯システムの効率が悪化するという問題がある。
【００１１】
また、特許文献１の技術では、高温水の温度が低下してきた際に、湯水混合弁によって給湯設定温度より低い補正温度に調整した後に補助熱源機へ送り、補助熱源機で給湯設定温度になるように加熱して出湯するが、貯湯タンクと補助熱源機との間の配管距離が長い場合の出湯運転開始時の出湯温度を安定化させる技術ではなく、特許文献１の技術では、上記の課題を改善することは困難である。
【００１２】
本発明の目的は、貯湯給湯システムにおいて、貯湯タンクと補助熱源機との間の配管距離が長い場合でも、使用者に不要な不安感や不信感を極力与えてしまうことがなく、出湯温度の変動を低減可能なもの、出湯温度を高くした嵩上げ出湯時における嵩上げ温度を低下可能なもの、等を提供することである。
【課題を解決するための手段】
【００１３】
請求項１の貯湯給湯システムは、湯水を貯留する貯湯タンクと、この貯湯タンクから延びる出湯通路の下流側に設けられた補助熱源機と、前記貯湯タンク内に貯留された高温水と低温水とを混合して給湯設定温度の湯水を調整する湯水混合部と、この湯水混合部と前記補助熱源機とを制御する制御部とを備えた貯湯給湯システムにおいて、前記制御部は、出湯運転開始時に、前記湯水混合部から前記給湯設定温度の湯水の出湯が可能である場合には、前記湯水混合部から前記給湯設定温度より低い第１設定温度に調整した湯水を第１設定量分出湯し、その後に、前記第１設定温度から前記給湯設定温度に調整した湯水を出湯することを特徴としている。
【００１４】
請求項２の貯湯給湯システムは、請求項１の発明において、前記制御部は、前記給湯設定温度に調整した湯水を一定量分出湯した後に、前記給湯設定温度より高い第２設定温度に調整した湯水を第２設定量分出湯することを特徴としている。
【００１５】
請求項３の貯湯給湯システムは、請求項２の発明において、前記制御部は、前記湯水混合部から出湯する湯水を、出湯運転開始時に前記第１設定温度に調整する場合及び前記第１設定温度から前記給湯設定温度に調整する場合には、所定の温度勾配を夫々持たせることを特徴としている。
【発明の効果】
【００１６】
請求項１の発明によれば、制御部は、出湯運転開始時に、湯水混合部から給湯設定温度の湯水の出湯が可能である場合には、湯水混合部から給湯設定温度より低い燃焼停止とはならない第１設定温度に調整した湯水を第１設定量分出湯することによって配管内の冷残水をパージし、その後に、第１設定温度から給湯設定温度に調整した湯水を出湯するので、補助熱源機から給湯設定温度の湯水を出湯すると共に、湯水混合部と補助熱源機の湯水加熱部とを接続する通路部に第１設定量分の第１設定温度の湯水と給湯設定温度の湯水を順に出湯することができる。
【００１７】
従って、湯水混合弁と補助熱源機との配管距離が長い場合、補助熱源機側への入水温度を段階的に上昇させて、補助熱源機の燃焼運転が停止する前に、湯水混合部から補助熱源機内の湯水加熱部迄の通路部を第１設定温度の湯水でパージして冷残水を極力低減することで、燃焼停止直後の補助熱源機からの出湯温度の低下を防止して出湯特性を改善し、使用者に不要な不安感や不信感を与えてしまうことを防止することができる。
【００１８】
請求項２の発明によれば、制御部は、給湯設定温度に調整した湯水を一定量分出湯した後に、給湯設定温度より高い第２設定温度に調整した湯水を第２設定量分出湯するので、第１設定温度の湯水を用いてパージ出湯を実行しても少量の冷残水が残留している場合に出湯温度を高くした嵩上げ出湯を行うことで、燃焼停止直後の補助熱源機からの出湯温度の低下を確実に防止することができる。また、パージ出湯によって出湯温度の低下は極力抑制されるので、嵩上げ出湯時における嵩上げ温度は、パージ出湯なしの場合の嵩上げ温度と比較して低くすることができる。
【００１９】
請求項３の発明によれば、制御部は、湯水混合部から出湯する湯水を、出湯運転開始時に第１設定温度に調整する場合及び第１設定温度から給湯設定温度に調整する場合には、所定の温度勾配を夫々持たせるので、湯水温度の急激な変動によって補助熱源機の燃焼能力の切換えが遅延するのを防止すると共に、補助熱源機の燃焼運転の停止を適したタイミングで実行することができる。
【図面の簡単な説明】
【００２０】
【図１】本発明の実施例に係る貯湯給湯システムの概略構成図である。
【図２】出湯運転開始時における出湯温度段階上げ運転制御の前半部分のフローチャートである。
【図３】出湯運転開始時における出湯温度段階上げ運転制御の後半部分のフローチャートである。
【図４】出湯運転開始時における混合弁の出湯温度、補助熱源機の入水温度及び補助熱源機の出湯温度の変化を示した線図である。
【図５】図４のパージ出湯のない場合の比較例を示した線図である。
【図６】従来例に係る出湯運転開始時における混合弁の出湯温度、補助熱源機の入水温度及び補助熱源機の出湯温度の変化を示した線図である。
【発明を実施するための形態】
【００２１】
以下、本発明を実施するための形態について実施例に基づいて説明する。
【実施例】
【００２２】
先ず、本発明の貯湯給湯システム１の全体構造について説明する。
図１に示すように、貯湯給湯システム１は、貯湯、給湯、本実施例では省略するが浴槽への給湯及び浴槽の追焚き、床暖房パネル等の温水暖房端末への暖房水の供給等の機能を有するものであり、貯湯タンク３を備えた貯湯タンクユニット２、貯湯タンク３内の湯水の加熱を行う外部の主熱源機４、貯湯タンク３からの湯水の温度が設定温度以下である場合に再加熱を行う補助熱源機５等を備えている。
【００２３】
本実施例の貯湯給湯システム１において、貯湯タンクユニット２と補助熱源機５とは、離隔して（例えば１０ｍ〜２０ｍ程度離して）設置されている。貯湯タンクユニット２の貯湯タンク３と補助熱源機５とは、配管長の長いタンク出湯通路７を介して接続されている。尚、外部の主熱源機４としては、ヒートポンプ式熱源機や燃料電池発電装置が活用されるが、特にこれらに限定する必要はなく、適宜変更可能である。
【００２４】
次に、貯湯タンクユニット２について説明する。
図１に示すように、貯湯タンクユニット２は、貯湯タンク３、給水通路６、タンク出湯通路７、湯水循環回路８、制御ユニット９、混合弁１３等の各種の弁類、各種のセンサ類及び各種のポンプ類等を備え、これら大部分は外装ケース１１内に収納されて構成されている。
【００２５】
貯湯タンク３は、外部の主熱源機４で加熱された高温の湯水（例えば６５〜９０℃）を貯留可能な密閉タンクで構成され、貯留された湯水の放熱を防ぐ為にタンク周囲は断熱材で覆われている。貯湯タンク３の外周部には、下側から上側に向かって等間隔に複数の温度センサ１７ａ〜１７ｄが順に設けられ、これら複数の温度センサ１７ａ〜１７ｄにより貯湯タンク３内の複数の貯留層の湯水温度が検出される。
【００２６】
給水通路６は、上水源から低温の上水を貯湯タンク３等に供給するものであり、上流給水通路部６ａ、下流給水通路部６ｂを有し、上流端が上水源に接続され、下流端が貯湯タンク３の下部に接続されている。上流給水通路部６ａと下流給水通路部６ｂとの間からタンク出湯通路７に接続するバイパス通路１２が分岐されている。上流給水通路部６ａには、温度センサ１７ｅが設けられ、下流給水通路部６ｂには、逆止弁１９ａが設けられている。バイパス通路１２には、逆止弁１９ｂが設けられている。
【００２７】
タンク出湯通路７（出湯通路に相当する）は、貯湯タンク３に貯湯された湯水を補助熱源機５を介して熱源出湯通路１０に供給するものであり、上流出湯通路部７ａ、下流出湯通路部７ｂ、外部出湯通路部７ｃを有し、上流端が貯湯タンク３に接続され、下流端が補助熱源機５に接続されている。上流出湯通路部７ａには、温度センサ１７ｆと流量センサ１８ａが設けられ、下流出湯通路部７ｂには、流量センサ１７ｇと温度センサ１８ｂが設けられている。熱源出湯通路１０は、補助熱源機５から延びて給湯栓等の所望の給湯先に接続されている。
【００２８】
上流出湯通路部７ａと下流出湯通路部７ｂとの間には、混合弁１３（湯水混合部に相当する）が設けられ、この混合弁１３に給水通路６から分岐したバイパス通路１２が接続されている。混合弁１３は、出湯温度が目標給湯設定温度になるように上水源からの低温水と貯湯タンク３からの高温水の混合比を調整するものである。バイパス通路１２から分岐した分岐通路１４が、下流出湯通路部７ｂに接続され、分岐通路１４には、高温出湯回避用の開閉弁１５が設けられている。
【００２９】
尚、外部出湯通路部７ｃの配管長は、貯湯タンクユニット２と補助熱源機５とが離隔状に設置されている構造上、例えば１０ｍ〜２０ｍ程度と外装ケース１１内に設置された上流出湯通路部７ａや下流出湯通路部７ｂと比較して極端に長く設定されている。
【００３０】
湯水循環回路８は、貯湯タンク３と外部の主熱源機４との間に湯水を循環させて湯水を加熱する閉回路であり、低温側循環通路部８ａ、高温側循環通路部８ｂ等を有し、上流端が貯湯タンク３の下部に接続され、下流端が貯湯タンク３の上部に接続されている。低温側循環通路部８ａには、循環ポンプ１６が設けられている。
【００３１】
次に、補助熱源機５について説明する。
図１に示すように、補助熱源機５は、貯湯タンク３から延びるタンク出湯通路７の下流側に設けられ、バーナーユニットや熱交換器等を内蔵した公知のガス給湯器で構成されている。補助熱源機５は、貯湯タンク３内の湯水温度が低下した場合に限り燃焼作動され、目標給湯設定温度となるように湯水を加熱するものである。
【００３２】
補助熱源機５は、貯湯タンクユニット２から湯水が流入する入水部２１と、この入水部２１から延びる入水通路部２２、この入水通路部２２の下流端が接続され且つ入水部２１から流入した湯水を加熱可能な湯水加熱部２３、この湯水加熱部２３から延びる出湯通路部２４、この出湯通路部２４の下流端が接続され且つ湯水加熱部２３で加熱された後の湯水の出湯を行う出湯部２５、補助熱源機５を制御する補助制御ユニット２６及び各種のセンサ類等を備え、これら大部分は外装ケース２７内に収納されて構成されている。
【００３３】
入水通路部２２の上流端は、入水部２１を介して貯湯タンクユニット２から延びる外部出湯通路部７ｃの下流端に接続され、入水通路部２２の下流端は、湯水加熱部２３の潜熱回収用熱交換器２３ｃに接続されている。入水通路部２２には、温度センサ２８ａと流量センサ２９が設けられている。入水通路部２２から分岐されたバイパス通路３０が出湯通路部２４に接続され、この分岐部にバイパス弁３０ａが設けられている。
【００３４】
湯水加熱部２３は、燃焼用空気を供給する為の送風ファン（図示略）、補助制御ユニット２６によって制御され且つ燃料ガスを燃焼させるバーナーユニット２３ａ、燃焼ガスの主として顕熱を回収する顕熱回収用熱交換器２３ｂ、顕熱回収後の燃焼排気ガスの主として潜熱を回収する潜熱回収用熱交換器２３ｃ、この潜熱回収用熱交換器２３ｃで発生したドレン水を回収するドレン水回収部（図示略）等を備えている。
【００３５】
出湯通路部２４の上流端は、湯水加熱部２３の顕熱回収用熱交換器２３ｂに接続され、出湯通路部２４の下流端は、出湯部２５を介して熱源出湯通路１０の上流端に接続されている。出湯通路部２４の上流側には、温度センサ２８ｂが設けられ、出湯通路部２４の下流側には、温度センサ２８ｃが設けられている。
【００３６】
次に、制御ユニット９について説明する。
この貯湯給湯システム１は、制御ユニット９によって制御される。貯湯タンクユニット２側において、各種のセンサの検出信号が制御ユニット９に送信され、補助熱源機５側において、各種のセンサ類の検出信号が補助制御ユニット２６を介して制御ユニット９に送信され、制御ユニット９により、貯湯タンクユニット２の動作、主熱源機４の動作、補助熱源機５の動作、各種のポンプ類の作動・停止、各種の弁類の開閉状態の切り換え及び開度調整等を制御し、各種運転（貯湯運転、出湯運転等）を実行する。
【００３７】
制御ユニット９は、補助熱源機５の補助制御ユニット２６とデータ通信可能である。また、制御ユニット９は、ユーザーが操作可能な操作リモコン（図示略）とデータ通信可能である。操作リモコンのスイッチ操作により各種の運転が設定されると、その指令信号が操作リモコンから制御ユニット９に送信される。例えば、操作リモコンのスイッチ操作により目標給湯設定温度が設定されると、その目標給湯設定温度データが操作リモコンから制御ユニット９に送信される。
【００３８】
次に、本発明に関連する出湯運転開始時における混合弁１３からの出湯温度段階上げ運転制御について説明する。
制御ユニット９は、出湯運転開始時に、混合弁１３から給湯設定温度の湯水の出湯が可能である場合には、混合弁１３から給湯設定温度より低い第１設定温度に調整した湯水を第１設定量分出湯（パージ出湯）し、その後に、第１設定温度から給湯設定温度に調整した湯水を一定量分出湯し、その後に、給湯設定温度より高い第２設定温度に調整した湯水を第２設定量分出湯（嵩上げ出湯）する出湯温度段階上げ運転制御を実行可能である。
【００３９】
また、制御ユニット９は、混合弁１３から出湯する湯水を、出湯運転開始時に第１設定温度に調整する場合及び第１設定温度から給湯設定温度に調整する場合には、所定の温度勾配を夫々持たせて調整する出湯温度段階上げ運転制御を実行可能である。
【００４０】
さらに、制御ユニット９は、出湯温度段階上げ運転中に、温度センサ１７ｃ，１７ｄが検知する貯湯タンク３の湯水温度が所定温度以上且つ温度センサ１７ｇ，２８ａが検知する湯水混合部１３から補助熱源機５の湯水加熱部２３へ流れる湯水温度が所定の温度を越えた場合には、補助熱源機５に対して燃焼運転禁止を指令する（燃焼不許可指令を送信する）出湯温度段階上げ運転制御を実行可能である。
【００４１】
次に、出湯運転開始時に、制御ユニット９により自動的に実行される、出湯温度段階上げ運転制御について、図２，図３のフローチャートに基づいて説明する。尚、図中の符号Ｓｉ（ｉ=１，２，・・）は各ステップを示す。この出湯温度段階上げ運転制御プログラムは、制御ユニット９に予め格納されている。図４には、この出湯温度段階上げ運転制御を実行した際の混合弁１３の出湯温度、補助熱源機５の入水温度及び出湯温度の変化を図示している。
【００４２】
図２のフローチャートにおいて、この制御が開始されると、最初にＳ１において、給湯栓の開放や各種のセンサの検知信号等に基づいて出湯運転の開始条件成立か否か判定する。出湯運転を開始する為の条件が成立している場合には、Ｓ１の判定がＹｅｓとなり、Ｓ２に移行し、Ｓ１の判定がＮｏのうちはＳ１を繰り返す。
【００４３】
尚、通常の出湯運転時では、貯湯タンク３にかかる給水圧によって貯湯タンク３の上部から高温水が上流出湯通路部７ａに押し出され、この高温水は混合弁１３においてバイパス通路１２から供給される低温水と混合されて所定の温度に調整され、この温度調整された混合湯水が下流出湯通路部７ｂと外部出湯通路部７ｃとを通って補助熱源機５に送られ、必要に応じて補助熱源機５に加熱されてから熱源出湯通路１０を通って給湯栓から出湯される。
【００４４】
次に、Ｓ２において、混合弁１３から給湯設定温度（例えば４０℃）の湯水の出湯が可能か否か判定する。混合弁１３から給湯設定温度の湯水の出湯が可能な場合、即ち、貯湯タンク４に高温水が十分に貯留され、高温水と低温水とを混合して混合弁１３から給湯設定温度の湯水を供給可能である場合には、Ｓ２の判定がＹｅｓとなり、Ｓ３に移行する。
【００４５】
しかし、混合弁１３から給湯設定温度の湯水の出湯が不可能な場合、即ち、貯湯タンク４の上段部の温度センサ１７ｄによって検知される湯水温度が給湯設定温度以下の場合等には、Ｓ２の判定がＮｏとなり、Ｓ４に移行し、通常の補助熱源機４を使用した出湯運転に移行して、この一連の制御を終了する。
【００４６】
次に、Ｓ３において、制御ユニット９は、第１設定温度に調整した湯水を第１設定量分出湯するパージ出湯を開始する為に、混合弁１３の出湯温度が、所定の温度勾配（例えば１℃／ｓ）を持たせて第１設定温度（補助熱源機５の最小燃焼量で加熱されても給湯設定温度を越えない程度、即ち、燃焼運転停止とならない程度の温度、例えば２９℃）になるように設定し、Ｓ５に移行する。
【００４７】
次に、Ｓ５において、制御ユニット９は、温度センサ１７ｇの検知信号を読み込み、この検知信号に基づいて、下流出湯通路部７ｂを流れる湯水温度（混合弁１７の出湯温度）を算出し、Ｓ６に移行し、湯水温度が第１設定温度に到達したか否かを判定し、湯水温度が第１設定温度に到達している場合には、Ｓ６の判定がＹｅｓとなり、Ｓ７に移行し、Ｓ６の判定がＮｏのうちはＳ５，Ｓ６を繰り返す。
【００４８】
次に、Ｓ７において、制御ユニット９は、流量センサ１８ｂの検知信号を読み込み、この検知信号に基づいて、制御ユニット９は、下流出湯通路部７ｂを流れる湯水の第１設定温度に調整されてからの積算量を算出し、Ｓ８に移行し、湯水が第１設定量（燃焼停止後の補助熱源機５からの出湯温度が３℃以上低下しない量、例えば１Ｌ）分出湯したか否かを判定し、湯水が第１設定量分出湯した場合、即ち、第１設定温度に調整した湯水を第１設定量分流すパージ出湯が終了した場合には、Ｓ８の判定がＹｅｓとなり、Ｓ９に移行し、Ｓ８の判定がＮｏのうちはＳ７，Ｓ８を繰り返す。
【００４９】
次に、Ｓ９において、制御ユニット９は、給湯設定温度に調整した湯水を一定量分出湯する給湯設定温度出湯を開始する為に、混合弁１３の出湯温度が、所定の温度勾配（例えば１℃／ｓ）を持たせて給湯設定温度になるように設定し、Ｓ１０に移行する。尚、Ｓ３及びＳ９の温度勾配は、制御ユニット９と補助制御ユニット２６との間のデータ通信速度の影響を受けずに且つ補助熱源機５の能力切換が追従可能な程度のものが望ましい。
【００５０】
尚、パージ出湯から給湯設定温度出湯に切換えた後に、補助熱源機５の入水温度は、第１設定温度から温度勾配に応じて給湯設定温度に向かって緩やかに上昇する。このとき、制御ユニット９は、この一連の制御と並行して、例えば、補助熱源機５の温度センサ２８ａの検知信号を常時読み込み、補助熱源機５への入水温度が所定温度（例えば３５℃程度）を越えた場合には、補助熱源機５の補助制御ユニット２６に対して燃焼不許可指令を送信して、補助熱源機５の燃焼を強制的に停止する制御を実行する。
【００５１】
次に、Ｓ１０において、制御ユニット９は、温度センサ１７ｇの検知信号を読み込み、この検知信号に基づいて、下流出湯通路部７ｂを流れる湯水温度を算出し、Ｓ１１に移行し、湯水温度が給湯設定温度に到達したか否かを判定し、湯水温度が給湯設定温度に到達している場合には、Ｓ１１の判定がＹｅｓとなり、Ｓ１２に移行し、Ｓ１１の判定がＮｏのうちはＳ１０，Ｓ１１を繰り返す。
【００５２】
次に、Ｓ１２において、制御ユニット９は、流量センサ１８ｂの検知信号を読み込み、この検知信号に基づいて、下流出湯通路部７ｂを流れる湯水の給湯設定温度に調整されてからの積算量を算出し、Ｓ１３に移行し、湯水が一定量（給湯設定温度の湯水が混合弁１３から出湯されている間に燃焼停止後の補助熱源機５の缶体温度が給湯設定温度近傍まで低下する程度の量、例えば０．４Ｌ）分出湯したか否かを判定し、湯水が一定量分出湯した場合、即ち、給湯設定温度に調整した湯水を一定量分流す給湯設定温度出湯が終了した場合には、Ｓ１３の判定がＹｅｓとなり、Ｓ１４に移行し、Ｓ１３の判定がＮｏのうちはＳ１２，Ｓ１３を繰り返す。
【００５３】
次に、図３のフローチャートのＳ１４において、制御ユニット９は、第２設定温度に調整した湯水を第２設定量分出湯する嵩上げ出湯を開始する為に、混合弁１３の出湯温度が、温度勾配を持たせずに第２設定温度（給湯設定温度から所定温度（給湯設定温度と第１設定温度の温度差の半分程度の温度）上昇させた温度、例えば４４℃）になるように設定し、Ｓ１５に移行する。
【００５４】
次に、Ｓ１５において、制御ユニット９は、温度センサ１７ｇの検知信号を読み込み、この検知信号に基づいて、制御ユニット９は、下流出湯通路部７ｂを流れる湯水温度を算出し、Ｓ１６に移行し、湯水温度が第２設定温度に到達したか否かを判定し、湯水温度が給湯設定温度に到達している場合には、Ｓ１６の判定がＹｅｓとなり、Ｓ１７に移行し、Ｓ１１の判定がＮｏのうちはＳ１５，Ｓ１６を繰り返す。
【００５５】
次に、Ｓ１７において、制御ユニット９は、流量センサ１８ｂの検知信号を読み込み、この検知信号に基づいて、制御ユニット９は、下流出湯通路部７ｂを流れる湯水の第２設定温度に調整されてからの積算量を算出し、Ｓ１８に移行し、湯水が第２設定量（例えば３．２Ｌ）分出湯したか否かを判定し、湯水が第２設定量分出湯した場合、即ち、第２設定温度に調整した湯水を第２設定量分流す嵩上げ出湯が終了した場合には、Ｓ１８の判定がＹｅｓとなり、Ｓ１９に移行し、Ｓ８の判定がＮｏのうちはＳ１７，Ｓ１８を繰り返す。
【００５６】
次に、Ｓ１９において、制御ユニット９は、給湯設定温度出湯運転（通常の出湯運転）に戻す為に、混合弁１３の出湯温度が、温度勾配を持たせずに給湯設定温度になるように設定し、Ｓ２０に移行する。そして、Ｓ２０において、補助熱源機５からの出湯温度が給湯設定温度になるように、混合弁１３や補助熱源機５を随時制御する通常の出湯運転に移行して、この出湯温度段階上げ運転制御を終了する。
【００５７】
次に、本発明の貯湯給湯システムの作用及び効果について説明する。
図４に示すように、給湯設定温度を４０℃に、初期湯水温度を１０℃に、混合弁１３から出湯される流量を０．６Ｌ／ｍｉｎに、混合弁１３と補助熱源機５との間の配管距離１０ｍに夫々設定し、出湯運転開始時に、上記の出湯温度段階上げ運転制御を実行すると、パージ出湯によって補助熱源機５の湯水加熱部２３から上流側における通路部の冷残水をパージし、その後、嵩上げ出湯することで、補助熱源機５の燃焼停止後の出湯温度の低下を抑え、補助熱源機５から給湯設定温度である４０℃の湯水が安定して出湯可能である。
【００５８】
一方、図５に示すように、比較例として、パージ出湯を行わない出湯温度段階上げ運転制御を実行した場合には、補助熱源機５内（特に入水通路部２２のうちの温度センサ２８ａから下流側）に冷残水が残留してしまうので、補助熱源機５の燃焼運転を停止した直後に、この冷残水が補助熱源機５から出湯され、補助熱源機５の出湯温度が３℃程度低下してしまう。
【００５９】
また、図５では、混合弁１３の出湯温度を、温度勾配を持たせて給湯設定温度に設定しているが、温度勾配を持たせずに短時間で給湯設定温度に設定すると、より低い温度の冷残水が残留してしまうので、出湯温度の低下量も増えてしまう（図６参照）。出湯温度の低下を抑制する為には、嵩上げ運転時における嵩上げ温度を上げる必要があるが、貯湯タンクの湯水を無駄に使用し、貯湯給湯システムの効率が悪化してしまう。
【００６０】
以上説明したように、制御ユニット９は、出湯運転開始時に、混合弁１３から給湯設定温度の湯水の出湯が可能である場合には、混合弁１３から給湯設定温度より低い燃焼停止とはならない第１設定温度に調整した湯水を第１設定量分出湯することによって配管内の冷残水をパージし、その後に、第１設定温度から給湯設定温度に調整した湯水を出湯するので、補助熱源機５から給湯設定温度の湯水を出湯すると共に、混合弁１３と補助熱源機５の湯水加熱部２３とを接続する通路部に第１設定量分の第１設定温度の湯水と給湯設定温度の湯水を順に出湯することができる。
【００６１】
従って、混合弁１３と補助熱源機５との配管距離が長い場合、補助熱源機５側への入水温度を段階的に上昇させて、補助熱源機５の燃焼運転が停止する前に、混合弁１３から補助熱源機５内の湯水加熱部２３迄の通路部（下流出湯通路部７ｂと外部出湯通路部７ｃと入水通路部２２）を第１設定温度の湯水でパージして冷残水を極力低減することで、燃焼停止直後の補助熱源機５からの出湯温度の低下を防止して出湯特性を改善し、使用者に不要な不安感や不信感を与えてしまうことを防止することができる。
【００６２】
また、制御ユニット９は、給湯設定温度に調整した湯水を一定量分出湯した後に、給湯設定温度より高い第２設定温度に調整した湯水を第２設定量分出湯するので、第１設定温度の湯水を用いてパージ出湯を実行しても少量の冷残水が残留している場合に出湯温度を高くした嵩上げ出湯を行うことで、燃焼停止直後の補助熱源機５からの出湯温度の低下を確実に防止することができる。また、パージ出湯によって出湯温度の低下は極力抑制されるので、嵩上げ出湯時における嵩上げ温度は、パージ出湯なしの場合の嵩上げ温度と比較して低くすることができる。
【００６３】
さらに、制御ユニット９は、混合弁１３から出湯する湯水を、出湯運転開始時に第１設定温度に調整する場合及び第１設定温度から給湯設定温度に調整する場合には、所定の温度勾配を夫々持たせるので、湯水温度の急激な変動によって補助熱源機５の燃焼能力の切換えが遅延するのを防止すると共に、補助熱源機５の燃焼運転の停止を適したタイミングで実行することができる。
【００６４】
次に、前記実施例を部分的に変更した形態について説明する。
［１］前記実施例において、湯水混合部として混合弁１３が設置されているが、これに限定する必要はなく、混合弁１３に代えて、湯水混合部として給水通路６と上流出湯通路部７ａとに流量調整弁を夫々設置した構造であっても良い。
【００６５】
［２］前記実施例の出湯温度段階上げ運転制御において、給湯設定温度、第１，第２設定温度、第１，第２設定量、一定量、所定の温度勾配は、ほんの一例を示したに過ぎず、混合弁１３の出湯温度を段階的に上げて、混合弁１３から補助熱源機５内の湯水加熱部２３迄の通路部をパージすることで、補助熱源機５の出湯温度の低下を抑制可能であれば、補助熱源機５の能力や配管距離等に応じて適宜変更可能である。
【００６６】
［３］その他、当業者であれば、本発明の趣旨を逸脱することなく、前記実施例に種々の変更を付加した形態で実施可能であり、本発明はそのような変更形態を包含するものである。
【符号の説明】
【００６７】
１      貯湯給湯システム
３      貯湯タンク
５      補助熱源機
７      タンク出湯通路（出湯通路）
９      制御ユニット（制御部）
１３    混合弁（湯水混合部）
【図１】
0006376390.tif 000002
【図２】
0006376390.tif 000003
【図３】
0006376390.tif 000004
【図４】
0006376390.tif 000005
【図５】
0006376390.tif 000006
【図６】
0006376390.tif 000007